(57)【特許請求の範囲】
【請求項１】
屈曲性を有する板状の本体部と、
前記本体部の外周縁の一部である第１周縁部と前記本体部の外周縁の他の一部である第２周縁部とを着脱可能に接合する接合手段とを備え、
前記接合手段は、前記第１周縁部に設けられた第１接合部と、前記第２周縁部に設けられ、前記第１接合部に対して着脱可能に接合される第２接合部とを有しており、
前記第１接合部と前記第２接合部とが接合されたとき、前記本体部が複数箇所で折り曲げられて、外側に向けて突出する突出部を有する中空多面体の立体物が構成され、
前記突出部が前記立体物の内部空間に押し込まれることによって、使用者が着座する座部が構成される、ソファ兼用マットレス。
【請求項２】
前記本体部は、分断されることなく連続した１枚の板状に形成されている、請求項１に記載のソファ兼用マットレス。
【請求項３】
前記接合手段は、第１エレメントと、第２エレメントと、これらを互いに噛み合わせたり引き離したりするためのスライダーとを有するファスナーであり、
前記第１接合部は、前記第１エレメントを有しており、
前記第２接合部は、前記第２エレメントを有している、請求項１または２に記載のソファ兼用マットレス。
【請求項４】
前記接合手段は、帯状の第１ファスナー片と、帯状の第２ファスナー片とを有する面ファスナーであり、
前記第１接合部は、前記第１ファスナー片を有しており、
前記第２接合部は、前記第２ファスナー片を有している、請求項１または２に記載のソファ兼用マットレス。
【請求項５】
前記第１接合部は、前記本体部の外周縁全長の半分の長さで形成されており、前記第２接合部は、前記本体部の外周縁全長の半分の長さで、前記第１接合部に連続して形成されている、請求項３または４に記載のソファ兼用マットレス。
【請求項６】
前記本体部は、屈曲性および弾性を有する板状の中芯材と、前記中芯材を覆う外被材とを有しており、
前記第１接合部および前記第２接合部は、前記外被材に設けられている、請求項１ないし５のいずれか１項に記載のソファ兼用マットレス。
【請求項７】
前記内部空間に詰め込まれる充填材を備える、請求項１ないし６のいずれか１項に記載のソファ兼用マットレス。
【請求項８】
前記突出部が前記内部空間に押し込まれた状態において、前記座部に着座した使用者の背中を支持する背もたれ部と、使用者の右腕を下方から支持する第１アームレスト部と、使用者の左腕を下方から支持する第２アームレスト部とを備える、請求項１ないし７のいずれか１項に記載のソファ兼用マットレス。
【請求項９】
自然状態の前記本体部は、正方形の第１部分、正方形の第２部分および正方形の第３部分を直線状に並べた長方形に形成されており、
前記第１部分の外周縁における前記本体部の幅方向一方端縁を構成する部分を第１辺とし、
前記第１部分の外周縁における前記本体部の長さ方向一方端縁を構成する部分を第２辺とし、
前記第１部分の外周縁における前記本体部の幅方向他方端縁を構成する部分を第３辺とし、
前記第２部分の外周縁における前記本体部の幅方向他方端縁を構成する部分を第４辺とし、
前記第２部分の外周縁における前記本体部の幅方向一方端縁を構成する部分を第５辺とし、
前記第３部分の外周縁における前記本体部の幅方向一方端縁を構成する部分を第６辺とし、
前記第３部分の外周縁における前記本体部の長さ方向他方端縁を構成する部分を第７辺とし、
前記第３部分の外周縁における前記本体部の幅方向他方端縁を構成する部分を第８辺としたとき、
前記第１周縁部は、前記第１辺、前記第２辺、前記第３辺および前記第４辺で構成されており、前記第２周縁部は、これらに対応する前記第５辺、前記第６辺、前記第７辺および前記第８辺で構成されており、
前記第１周縁部と前記第２周縁部とが前記接合手段で接合されたとき、前記第１部分、前記第２部分および前記第３部分が折り曲げられて、三角両錘形の前記立体物が構成され、
前記立体物の一方の三角錘の頂点を含む部分が前記突出部として前記内部空間に押し込まれる、請求項１ないし８のいずれか１項に記載のソファ兼用マットレス。
【発明の詳細な説明】
【技術分野】
【０００１】
本発明は、ソファとして使用する第１態様とマットレスとして使用する第２態様とを選択的にとることができる、ソファ兼用マットレスに関する。
【背景技術】
【０００２】
使用者が寝るために使用するマットレスは、使用者が起きたときには不要になるため、マットレスをソファとしても使用できれば室内空間を有効に利用できる。このような観点より、従来から様々な形態のソファ兼用マットレスが開発されている。特許文献１に開示された巻き取り式ソファマットレスは、上記ソファ兼用マットレスの一例であり、クッション性を有する複数のパッドブロックを平板状に並べたときにマットレスとなり、当該複数のパッドブロックを互いに重ね合わせたときにソファとなるように構成されている。
【先行技術文献】
【特許文献】
【０００３】
【特許文献１】実用新案登録第３２２３７７４号
【０００４】
しかしながら、特許文献１に開示された巻き取り式ソファマットレスでは、ソファとして使用するときに、パッドブロックの平らな上面がそのまま座面となるため、座り心地がよくないという問題があった。
【発明の概要】
【０００５】
本発明は上記問題に対処するためになされたものであり、ソファとして使用するときの座り心地をよくすることができる、ソファ兼用マットレスを提供することを目的とする。
【０００６】
上記目的を達成するため、本発明に係るソファ兼用マットレスの特徴は、屈曲性を有する板状の本体部と、前記本体部の外周縁の一部である第１周縁部と前記本体部の外周縁の他の一部である第２周縁部とを着脱可能に接合する接合手段とを備え、前記接合手段は、前記第１周縁部に設けられた第１接合部と、前記第２周縁部に設けられ、前記第１接合部に対して着脱可能に接合される第２接合部とを有しており、前記第１接合部と前記第２接合部とが接合されたとき、前記本体部が複数箇所で折り曲げられて、外側に向けて突出する突出部を有する中空多面体の立体物が構成され、前記突出部が前記立体物の内部空間に押し込まれることによって、使用者が着座する座部が構成されることにある。
【０００７】
この構成では、第１接合部と第２接合部とが接合されたとき、屈曲性を有する本体部が複数箇所で折り曲げられて、中空多面体の立体物が構成される。そして、突出部が立体物の内部空間に押し込まれることによって、使用者が着座する座部が構成される。したがって、座部は、使用者の臀部および腰部を包み込む形状となり、ソファとして使用するときの座り心地をよくすることができる。また、突出部を内部空間に押し込む程度を調整することによって、座部の形状を使用者の体型に合うように適宜変えることができる。
【０００８】
本発明に係るソファ兼用マットレスの他の特徴は、前記本体部は、分断されることなく連続した１枚の板状に形成されていることにある。
【０００９】
この構成では、本体部が分断されることなく連続した１枚の板状に形成されているので、マットレスとして使用するときの寝心地をよくすることができる。マットレスとして使用する第１態様からソファとして使用する第２態様へとソファ兼用マットレスを変形させる際には、屈曲性を有する本体部を複数箇所で折り曲げながら、本体部の第１周縁部と第２周縁部とを接合するだけでよいので、この作業を簡単に行うことができる。
【００１０】
本発明に係るソファ兼用マットレスの他の特徴は、前記接合手段は、第１エレメントと、第２エレメントと、これらを互いに噛み合わせたり引き離したりするためのスライダーとを有するファスナーであり、前記第１接合部は、前記第１エレメントを有しており、前記第２接合部は、前記第２エレメントを有していることにある。
【００１１】
この構成では、接合手段として汎用性のあるファスナーを用いているので、製造コストを低く抑えることができる。
【００１２】
本発明に係るソファ兼用マットレスの他の特徴は、前記接合手段は、帯状の第１ファスナー片と、帯状の第２ファスナー片とを有する面ファスナーであり、前記第１接合部は、前記第１ファスナー片を有しており、前記第２接合部は、前記第２ファスナー片を有していることにある。
【００１３】
この構成では、接合手段として汎用性のある面ファスナーを用いているので、製造コストを低く抑えることができる。
【００１４】
本発明に係るソファ兼用マットレスの他の特徴は、前記第１接合部は、前記本体部の外周縁全長の半分の長さで形成されており、前記第２接合部は、前記本体部の外周縁全長の半分の長さで、前記第１接合部に連続して形成されていることにある。
【００１５】
この構成では、第１接合部と第２接合部とを合わせた合計長さが本体部の外周縁全長と同じになるので、第１接合部と第２接合部とを接合したときには、立体物の内部空間を完全に封鎖することができる。したがって、当該内部空間にピロークッション、タオルケットおよび枕などの充填材を充填したときでも、外部から充填材が見えることがなく、見栄えをよくすることができる。
【００１６】
本発明に係るソファ兼用マットレスの他の特徴は、前記本体部は、屈曲性および弾性を有する板状の中芯材と、前記中芯材を覆う外被材とを有しており、前記第１接合部および前記第２接合部は、前記外被材に設けられていることにある。
【００１７】
この構成では、本体部が弾性を有する中芯材を有しているので、マットレスとして使用するときに快適な寝心地を得ることができる。また、第１接合部および第２接合部は、外被材に設けられているので、第１接合部と第２接合部とを接合するときに、中芯材に外力が作用することを抑制でき、当該外力による中芯材の損傷を防止できる。
【００１８】
本発明に係るソファ兼用マットレスの他の特徴は、前記内部空間に詰め込まれる充填材を備えることにある。
【００１９】
この構成では、ソファとして使用するときに、内部空間に充填材を詰め込むことによってソファ兼用マットレスを補強できる。また、充填材の大きさ、量、形状などを変えることによって、座部の形状を使用者の体型に合うように適宜調整することができる。
【００２０】
本発明に係るソファ兼用マットレスの他の特徴は、前記突出部が前記内部空間に押し込まれた状態において、前記座部に着座した使用者の背中を支持する背もたれ部と、使用者の右腕を下方から支持する第１アームレスト部と、使用者の左腕を下方から支持する第２アームレスト部とを備えることにある。
【００２１】
この構成では、座部に着座した使用者が、背もたれ部、第１アームレスト部および第２アームレスト部を使用することができるので、快適な座り心地を得ることができる。
【００２２】
本発明に係るソファ兼用マットレスの他の特徴は、自然状態の前記本体部は、正方形の第１部分、正方形の第２部分および正方形の第３部分を直線状に並べた長方形に形成されており、前記第１部分の外周縁における前記本体部の幅方向一方端縁を構成する部分を第１辺とし、前記第１部分の外周縁における前記本体部の長さ方向一方端縁を構成する部分を第２辺とし、前記第１部分の外周縁における前記本体部の幅方向他方端縁を構成する部分を第３辺とし、前記第２部分の外周縁における前記本体部の幅方向他方端縁を構成する部分を第４辺とし、前記第２部分の外周縁における前記本体部の幅方向一方端縁を構成する部分を第５辺とし、前記第３部分の外周縁における前記本体部の幅方向一方端縁を構成する部分を第６辺とし、前記第３部分の外周縁における前記本体部の長さ方向他方端縁を構成する部分を第７辺とし、前記第３部分の外周縁における前記本体部の幅方向他方端縁を構成する部分を第８辺としたとき、前記第１周縁部は、前記第１辺、前記第２辺、前記第３辺および前記第４辺で構成されており、前記第２周縁部は、これらに対応する前記第５辺、前記第６辺、前記第７辺および前記第８辺で構成されており、前記第１周縁部と前記第２周縁部とが前記接合手段で接合されたとき、前記第１部分、前記第２部分および前記第３部分が折り曲げられて、三角両錘形の前記立体物が構成され、前記立体物の一方の三角錘の頂点を含む部分が前記突出部として前記内部空間に押し込まれることにある。
【００２３】
この構成では、自然状態の本体部が長方形に形成されているので、ソファ兼用マットレスをクッションとして使用するときには、使用者の身体を過不足なく、効率よく支持できる。また、自然状態の本体部をロール状に巻くことによって、その体積を小さくすることができるので、保管し易く、運搬し易い。さらに、一方の三角錐の頂点の周りの３つの面のうち１つを床面に接触する座部の下面とし、他の２つの面を左右のアームレスト部の外面としてソファを構成すると、座部の前面を左右方向に延びるように配置できるので、使用者は、座部に着座し易く、座部から立ち上がり易い。
【図面の簡単な説明】
【００２４】
【図１】第１実施形態に係るソファ兼用マットレスの第１態様（マットレス）の構成を示す正面図である。
【図２】図２（Ａ）は、第１実施形態に係るソファ兼用マットレスの第１態様（マットレス）の構成を示す右側面図、図２（Ｂ）は、図１におけるイ−イ線断面図である。
【図３】第１実施形態に係るソファ兼用マットレスの第２態様（ソファ）の構成を示す斜視図である。
【図４】図４は、第１実施形態に係るソファ兼用マットレスの中間態様（立体物）の構成を示す図であり、（Ａ）は正面図、（Ｂ）は底面図である。
【図５】図５は、第１実施形態に係るソファ兼用マットレスの中間態様（立体物）の構成を示す図であり、（Ａ）は右側面図、（Ｂ）は背面図である。
【図６】図６は、第１実施形態に係るソファ兼用マットレスの第２態様（ソファ）の構成を示す図であり、（Ａ）は正面図、（Ｂ）は背面図である。
【図７】図７は、第１実施形態に係るソファ兼用マットレスの第２態様（ソファ）の構成を示す図であり、（Ａ）は平面図、（Ｂ）は底面図である。
【図８】図８は、第１実施形態に係るソファ兼用マットレスの第２態様（ソファ）の構成を示す図であり、（Ａ）は右側面図、（Ｂ）は左側面図である。
【図９】図９は、第１実施形態に係るソファ兼用マットレスの第２態様（ソファ）の構成を示す図であり、（Ａ）は図６（Ａ）におけるロ−ロ線断面図、（Ｂ）は図６（Ｂ）におけるハ−ハ線拡大図である。
【図１０】第２実施形態に係るソファ兼用マットレスの第１態様（マットレス）の構成を示す正面図である。
【図１１】第２実施形態に係るソファ兼用マットレスの第２態様（ソファ）の構成を示す斜視図である。
【図１２】第３実施形態に係るソファ兼用マットレスの第１態様（マットレス）の構成を示す正面図である。
【図１３】第３実施形態に係るソファ兼用マットレスの第２態様（ソファ）の構成を示す斜視図である。
【発明を実施するための形態】
【００２５】
以下、本発明に係るソファ兼用マットレスの実施形態について図面を参照しながら説明する。
【００２６】
（第１実施形態）
図１は、第１実施形態に係るソファ兼用マットレス１０の第１態様（マットレス）の構成を示す正面図である。図２（Ａ）は、第１実施形態に係るソファ兼用マットレス１０の第１態様（マットレス）の構成を示す右側面図である。図２（Ｂ）は、図１におけるイ−イ線断面図である。図３は、第１実施形態に係るソファ兼用マットレス１０の第２態様（ソファ）の構成を示す斜視図である。図４および図５は、第１実施形態に係るソファ兼用マットレス１０の中間態様（立体物）の構成を示す図であり、図４（Ａ）は正面図、図４（Ｂ）は底面図、図５（Ａ）は右側面図、図５（Ｂ）は背面図である。
【００２７】
第１実施形態に係るソファ兼用マットレス１０は、図１に示すマットレスとして使用する態様（以下、「第１態様」という。）と、図３に示すソファとして使用する態様（以下、「第２態様」という。）とを選択的にとることができるように構成されている。図４および図５に示す中間態様の立体物１２は、ソファ兼用マットレス１０を第１態様から第２態様に変形させる途中、或いは、第２態様から第１態様に変形させる途中で、一時的に生じる態様である。
【００２８】
（第１態様）
図１に示す第１態様のソファ兼用マットレス１０は、使用者が寝るために床面等に敷いて使用するマットレスである。図１および図２（Ａ）に示すように、第１態様のソファ兼用マットレス１０は、屈曲性を有する平面視で長方形の板状の本体部１４と、本体部１４の外周縁の一部である第１周縁部１６と本体部１４の外周縁の他の一部である第２周縁部１８とを着脱可能に接合する接合手段２０とを備えている。ソファ兼用マットレス１０の大きさは、第１態様において横になった使用者の身体を支持し、第２態様において使用者が着座し易いように定められており、本実施形態では、一般的な体型の大人の男性が使用することを想定して、長さ２４００ｍｍ、幅８００ｍｍ、厚さ６０ｍｍに定められている。
【００２９】
図２（Ｂ）に示すように、本体部１４は、正面視（図１）で長方形の板状の中芯材２２と、中芯材２２を覆う外被材２４とを有している。中芯材２２は、屈曲性および弾性を有する材料（本実施形態ではウレタンフォーム）を用いて、分断されることなく連続した１枚の板状に形成されている。本体部１４の大きさは、ソファ兼用マットレス１０の全体の大きさとほぼ同じに定められており、本実施形態では、長さ約２４００ｍｍ、幅約８００ｍｍ、厚さ約６０ｍｍに定められている。外被材２４は、堅牢性および耐摩耗性に優れたシート状の材料（本実施形態ではポリエチレンシート）を用いて、袋状に形成されている。
【００３０】
なお、中芯材２２の材料は、ウレタンフォームに限定されるものではなく、例えば、天然ゴムスポンジ、ポリエチレンフォーム、ポリプロピレンフォーム、シリコーンフォームなどが用いられてもよい。また、外被材２４の材料は、ポリエチレンシートに限定されるものではなく、例えば、ポリエステルシート、ポリウレタンシート、ナイロンシート、合成皮革、本革、帆布などが用いられてもよい。
【００３１】
図１に示すように、自然状態の本体部１４は、正方形の第１部分２６、正方形の第２部分２８および正方形の第３部分３０を直線状に並べた長方形に形成されている。
【００３２】
ここで、第１部分２６、第２部分２８および第３部分３０の各辺３２ａ〜３２ｈを次の通り定義する。すなちわ、第１部分２６の外周縁における本体部１４の幅方向一方端縁を構成する部分を第１辺３２ａとし、第１部分２６の外周縁における本体部１４の長さ方向一方端縁を構成する部分を第２辺３２ｂとし、第１部分２６の外周縁における本体部１４の幅方向他方端縁を構成する部分を第３辺３２ｃとする。また、第２部分２８の外周縁における本体部１４の幅方向他方端縁を構成する部分を第４辺３２ｄとし、第２部分２８の外周縁における本体部１４の幅方向一方端縁を構成する部分を第５辺３２ｅとする。さらに、第３部分３０の外周縁における本体部１４の幅方向一方端縁を構成する部分を第６辺３２ｆとし、第３部分３０の外周縁における本体部１４の長さ方向他方端縁を構成する部分を第７辺３２ｇとし、第３部分３０の外周縁における本体部１４の幅方向他方端縁を構成する部分を第８辺３２ｈとする。
【００３３】
このように各辺３２ａ〜３２ｈを定義すると、本体部１４の第１周縁部１６は、第１辺３２ａ、第２辺３２ｂ、第３辺３２ｃおよび第４辺３２ｄで構成されており、第１周縁部１６に接合される第２周縁部１８は、これらに対応する第５辺３２ｅ、第６辺３２ｆ、第７辺３２ｇおよび第８辺３２ｈで構成されている。
【００３４】
図１に示すように、接合手段２０は、第１周縁部１６の外被材２４に設けられた第１接合部３４と、第２周縁部１８の外被材２４に設けられ、第１接合部３４に対して着脱可能に接合される第２接合部３６とを有している。第１接合部３４は、本体部１４の外周縁全長の半分の長さで形成されており、第２接合部３６は、本体部１４の外周縁全長の半分の長さで、第１接合部３４に連続して形成されている。
【００３５】
図９（Ｂ）に示すように、本実施形態の接合手段２０は、第１テープ３８と、第１テープ３８に設けられた第１エレメント４０と、第２テープ４２と、第２テープ４２に設けられた第２エレメント４４と、第１エレメント４０と第２エレメント４４とを噛み合わせたり切り離したりするためのスライダー４６とを有するファスナーである。したがって、第１接合部３４は、第１テープ３８および第１エレメント４０を有しており、第２接合部３６は、第２テープ４２および第２エレメント４４を有しており、第１エレメント４０と第２エレメント４４とを噛み合わせることによって、第１周縁部１６と第２周縁部１８とが接合される。
【００３６】
（第２態様）
図６、図７、図８および図９は、第１実施形態に係るソファ兼用マットレス１０の第２態様（ソファ）の構成を示す図であり、図６（Ａ）は正面図、図６（Ｂ）は背面図、図７（Ａ）は平面図、図７（Ｂ）は底面図、図８（Ａ）は右側面図、図８（Ｂ）は左側面図である。また、図９（Ａ）は図６（Ａ）におけるロ−ロ線断面図、図９（Ｂ）は図６（Ｂ）におけるハ−ハ線拡大図である。
【００３７】
図３に示すように、第２態様のソファ兼用マットレス１０は、使用者が着座する座部５０と、使用者の背中を支持する背もたれ部５２と、使用者の右腕を下方から支持する第１アームレスト部５４と、使用者の左腕を下方から支持する第２アームレスト部５６と、充填材５８とを備えている。
【００３８】
第２態様のソファ兼用マットレス１０は、図１に示す板状の本体部１４を変形させることによって構成された中空多面体（本実施形態では三角両錐形）の立体物１２（図４，図５）をさらに変形させることによって構成されている。充填材５８は、ソファ兼用マットレス１０を補強するために、立体物１２の内部空間Ｓに詰め込まれる部材である。充填材５８の種類は、特に限定されるものではなく、例えば、ピロークッション、枕、タオルケット、毛布、衣類などを用いることができるが、座り心地をよくするためにクッション性を有していることが望ましい。
【００３９】
図４および図５に示す立体物１２は、２つの三角錐６０ａ，６０ｂを有する三角両錐形に形成されており、６つの面６２ａ〜６２ｆと、５つの頂点６４ａ〜６４ｅとを有している。一方の三角錐６０ａの側面は、直角二等辺三角形の３つの面６２ａ，６２ｄ，６２ｅで構成されており、これらの直角部分で三角錐６０ａの頂点６４ｂが構成されている。他方の三角錐６０ｂの側面は、直角二等辺三角形の３つの面６２ｂ，６２ｃ，６２ｆで構成されており、これらの直角部分で三角錐６０ｂの頂点６４ｄが構成されている。
【００４０】
図４および図５に示す立体物１２は、図１に示す板状の本体部１４の第１周縁部１６と第２周縁部１８とを接合手段２０で接合することによって構成されている。第１周縁部１６と第２周縁部１８とを接合するとき、使用者は、図１に示す接合手段２０のスライダー４６を始点から終点に向けて移動させて、図９（Ｂ）に示す第１エレメント４０と第２エレメント４４とを全長にわたって噛み合わせる。このとき、図１に示す第１部分２６、第２部分２８および第３部分３０が、これらの対角線２６ａ，２８ａ，３０ａおよび境界線６６ａ，６６ｂに沿って複数箇所で折り曲げられる。これによって、外側に向けて突出する突出部７０（図５（Ａ））を有する中空多面体の立体物１２が構成される。立体物１２を変形させて第２態様のソファ兼用マットレス１０を得る際には、一方の三角錘６０ａの頂点６４ｂを含む部分が突出部７０として内部空間Ｓに押し込まれて図３に示す座部５０が構成される。
【００４１】
図１に示すように、本実施形態では、第１辺３２ａと第５辺３２ｅとの境界部が始点となっており、第４辺３２ｄと第８辺３２ｈとの境界部が終点となっている。したがって、使用者がスライダー４６を始点から終点に向けて移動させていくと、まず、図１に示す第１辺３２ａと第５辺３２ｅとが接合されることによって、図４（Ａ）に示す第１面６２ａと第４面６２ｄとの境界線６８ａが構成される。続いて、図１に示す第２辺３２ｂと第６辺３２ｆとが接合されることによって、図４（Ａ）に示す第１面６２ａと第５面６２ｅとの境界線６８ｂが構成される。その後、図１に示す第３辺３２ｃと第７辺３２ｇとが接合されることによって、図５（Ａ）に示す第２面６２ｂと第６面６２ｆとの境界線６８ｃが構成される。最後に、図１に示す第４辺３２ｄと第８辺３２ｈとが接合されることによって、図５（Ｂ）に示す第３面６２ｃと第６面６２ｆとの境界線６８ｄが構成される。
【００４２】
図３、図６〜図９に示す第２態様のソファ兼用マットレス１０を構成するためには、図４および図５に示す立体物１２の内部空間Ｓ（図９（Ａ））に充填材５８を詰め込む必要があるが、座部５０を構成する前に充填材５８を詰め込むと、座部５０を構成する作業が困難になる。そこで、本実施形態では、第３辺３２ｃと第７辺３２ｇとを接合した後であって、第４辺３２ｄと第８辺３２ｈとを接合する前に座部５０を構成し、その後、第４辺３２ｄと第８辺３２ｈとの間から内部空間Ｓに充填材５８を詰め込み、最後に、第４辺３２ｄと第８辺３２ｈとを接合するようにしている。
【００４３】
（実施形態の効果）
本実施形態によれば、上記構成により以下の各効果を奏することができる。すなわち、図５（Ａ）に示す突出部７０が立体物１２の内部空間Ｓに押し込まれることによって、図３に示す座部５０が構成されるので、座部５０は、使用者の臀部および腰部を包み込む形状となる。したがって、ソファ兼用マットレス１０をソファとして使用するときの座り心地をよくすることができる。また、突出部７０を内部空間Ｓに押し込む程度を調整することによって、座部５０の形状を使用者の体型に合うように適宜変えることができる。
【００４４】
図２（Ｂ）に示すように、第１態様（マットレス）における本体部１４が、分断されることなく連続した１枚の板状に形成されているので、快適な寝心地を得ることができる。ソファ兼用マットレス１０を第１態様（マットレス）から第２態様（ソファ）に変形させる際には、本体部１４を複数箇所で折り曲げながら、第１周縁部１６と第２周縁部１８とを接合するだけでよいので、この作業を簡単に行うことができる。
【００４５】
図９（Ａ）に示すように、接合手段２０として汎用性のあるファスナーを用いているので、製造コストを低く抑えることができる。
【００４６】
図１に示すように、第１接合部３４と第２接合部３６とを合わせた合計長さが本体部１４の外周縁全長と同じになっているので、第１接合部３４と第２接合部３６とを接合したときには、立体物１２の内部空間Ｓを完全に封鎖することができる。したがって、当該内部空間Ｓにピロークッション、タオルケットおよび枕などの充填材５８を充填したときでも、外部から充填材５８が見えることがなく、見栄えをよくすることができる。
【００４７】
図２（Ｂ）に示すように、本体部１４が弾性を有する中芯材２２を有しているので、ソファ兼用マットレス１０をマットレスとして使用するときに快適な寝心地を得ることができる。また、第１接合部３４および第２接合部３６は、外被材２４に設けられているので、第１接合部３４と第２接合部３６とを接合するときに、中芯材２２に外力が作用することを抑制でき、当該外力による中芯材２２の損傷を防止できる。
【００４８】
図９（Ａ）に示すように、第２態様（ソファ）では、内部空間Ｓに充填材５８が詰め込まれるので、ソファ兼用マットレス１０を充填材５８で補強できる。また、充填材５８の大きさ、量、形状などを変えることによって、座部５０の形状を使用者の体型に合うように適宜調整することができる。
【００４９】
図３に示す第２態様（ソファ）では、座部５０に着座した使用者が、背もたれ部５２、第１アームレスト部５４および第２アームレスト部５６を使用することができるので、快適な座り心地を得ることができる。
【００５０】
図１に示すように、自然状態の本体部１４が長方形に形成されているので、第１態様（クッション）では、ソファ兼用マットレス１０によって使用者の身体を過不足なく、効率よく支持できる。また、自然状態の本体部１４をロール状に巻くことによって、その体積を小さくすることができるので、保管し易く、運搬し易い。
【００５１】
図５（Ｂ）に示すように、第２態様（ソファ）では、一方の三角錐６０ｂの頂点６４ｄの周りの３つの面のうち１つの面６２ｄを床面に接触する座部５０の下面とし、他の２つの面６２ｃ，６２ｆを左右のアームレスト部５４，５６（図３）の外面としているので、座部５０の前面５０ａを左右方向に延びるように配置できる。したがって、使用者は、座部５０に着座し易く、座部５０から立ち上がり易い。
【００５２】
（変形例）
なお、本発明の実施にあたっては、上記第１実施形態に限定されず、本発明の目的を逸脱しない限りにおいて種々の変更が可能である。例えば、上記第１実施形態では、第２態様のソファ兼用マットレス１０が充填材５８を備えているが、充填材５８は省略されてもよい。また、充填材５８は、座部５０を構成するよりも前に立体物１２の内部空間Ｓに詰め込まれてもよい。
【００５３】
図２（Ｂ）に示すように、第１実施形態では、本体部１４の中芯材２２が１枚の板状に形成されているが、中芯材２２は、複数の板材に分割して形成されてもよい。この場合、立体物１２を構成する面６２ａ〜６２ｆごとに板材を分割して配置すると、面と面の境界部分を折り曲げる作業を容易に行うことができる。
【００５４】
図１および図２（Ｂ）に示すように、第１実施形態では、本体部１４が１枚の板状に形成されているが、本体部１４は、複数の板状の分割片に分割して形成されてもよい。この場合、互いに隣接する分割片は、ファスナー、面ファスナー、ボタン、ホックおよび紐などで着脱可能に接合されてもよい。
【００５５】
図２（Ｂ）に示すように、第１実施形態では、本体部１４が中芯材２２と外被材２４とを有しているが、本体部１４は、中芯材２２を構成する屈曲性および弾性を有する材料だけで、分断されることなく連続した１枚の板状に形成されてもよい。
【００５６】
図９（Ｂ）に示すように、第１実施形態では、接合手段２０としてファスナーが用いられているが、ファスナーに代えて、面ファスナー、ボタン、ホックおよび紐などが用いられてもよい。
【００５７】
接合手段２０として面ファスナーが用いられる場合、接合手段２０の第１接合部３４は、面ファスナーの帯状の第１ファスナー片を有しており、接合手段２０の第２接合部３６は、面ファスナーの帯状の第２ファスナー片を有している。そして、第１ファスナー片と第２ファスナー片とが接合されることによって第１周縁部１６と第２周縁部１８とが接合される。
【００５８】
接合手段２０として紐が用いられる場合、接合手段２０の第１接合部３４は、紐の一部と第１周縁部１６に沿って形成された複数の貫通孔とを有しており、接合手段２０の第２接合部３６は、紐の他の一部と第２周縁部１８に沿って形成された複数の貫通孔とを有している。そして、各貫通孔に紐が挿通されることによって、第１周縁部１６と第２周縁部１８とが接合される。
【００５９】
図１に示すように、第１実施形態では、立体物１２が三角両錐形に形成されており、第１態様における本体部１４が三角両錐形を展開した長方形に形成されているが、立体物１２は他の多面体に形成されてもよいし、本体部１４は他の多面体を展開した他の形状に形成されてもよい。
【００６０】
（第２実施形態）
図１０は、第２実施形態に係るソファ兼用マットレス７４の第１態様（マットレス）の構成を示す正面図である。図１１は、第２実施形態に係るソファ兼用マットレス７４の第２態様（ソファ）の構成を示す斜視図である。第２実施形態では、図１０に示す第１態様のソファ兼用マットレス７４の本体部７６が立方体形の立体物（図示省略）を展開した形状に形成されている。
【００６１】
ソファ兼用マットレス７４を第１態様から第２態様に変形させる際には、図１０に示す本体部７６の第１周縁部７８と第２周縁部８０とを接合手段８２としてのファスナーで接合して立方体形の立体物（図示省略）を構成する。その後、図１１に示すように、当該立体物の一つの頂点を含む突出部８４を内部空間に押し込んで、第２態様のソファ兼用マットレス７４を構成する。第２態様のソファ兼用マットレス７４は、使用者が着座する座部８６と、使用者の背中を支持する背もたれ部８８と、使用者の右腕を下方から支持する第１アームレスト部９０と、使用者の左腕を下方から支持する第２アームレスト部９２と、充填材（図示省略）とを備えている。したがって、第１実施形態に係るソファ兼用マットレス１０と同様に、快適な座り心地を得ることができる。
【００６２】
（第３実施形態）
図１２は、第３実施形態に係るソファ兼用マットレス９４の第１態様（マットレス）の構成を示す正面図である。図１３は、第３実施形態に係るソファ兼用マットレス９４の第２態様（ソファ）の構成を示す斜視図である。第３実施形態では、図１２に示す第１態様のソファ兼用マットレス９４の本体部９６が正四面体の立体物（図示省略）を展開した形状に形成されている。
【００６３】
ソファ兼用マットレス９４を第１態様から第２態様に変形させる際には、図１２に示す本体部９６の第１周縁部９８と第２周縁部１００とを接合手段１０２としてのファスナーで接合して正四面体の立体物（図示省略）を構成する。その後、図１３に示すように、当該立体物の一つの頂点を含む突出部１０４を内部空間に押し込んで、第２態様のソファ兼用マットレス９４を構成する。第２態様のソファ兼用マットレス９４では、座部１０６の周縁部で使用者の臀部および腰部を包み込むことができるので、快適な座り心地を得ることができる。
【符号の説明】
【００６４】
Ｓ…内部空間、１０…ソファ兼用マットレス、１２…立体物、１４…本体部、１６…第１周縁部、１８…第２周縁部、２０…接合手段、２２…中芯材、２４…外被材、２６…第１部分、２８…第２部分、３０…第３部分、３２ａ〜３２ｈ…辺、３４…第１接合部、３６…第２接合部、５０…座部、５８…充填材、６０ａ，６０ｂ…三角錐、７０…突出部。
【要約】
【課題】ソファとして使用するときの座り心地をよくすることができる、ソファ兼用マットレスを提供する。
【解決手段】第１態様のソファ兼用マットレス１０は、屈曲性を有する板状の本体部１４と、本体部１４の第１周縁部１６と第２周縁部１８とを着脱可能に接合する接合手段２０とを備えている。接合手段２０は、第１接合部３４としてのファスナーの第１エレメント４０と、第２接合部３６としてのファスナーの第２エレメント４４とを有している。第１エレメント４０と第２エレメント４４とが噛み合わされて、第１周縁部１６と第２周縁部１８とが接合されたとき、本体部１４が複数箇所で折り曲げられて、外側に向けて突出する突出部７０を有する中空多面体の立体物１２が構成される。突出部７０が立体物１２の内部空間Ｓに押し込まれることによって、座部５０を有する第２態様のソファ兼用マットレス１０が構成される。
【選択図】図１【図１】
0006737444.tif 000002
【図２】
0006737444.tif 000003
【図３】
0006737444.tif 000004
【図４】
0006737444.tif 000005
【図５】
0006737444.tif 000006
【図６】
0006737444.tif 000007
【図７】
0006737444.tif 000008
【図８】
0006737444.tif 000009
【図９】
0006737444.tif 000010
【図１０】
0006737444.tif 000011
【図１１】
0006737444.tif 000012
【図１２】
0006737444.tif 000013
【図１３】
0006737444.tif 000014